(57)【特許請求の範囲】
【請求項１】
大引と、該大引と直交する姿勢で該大引上に配置された角柱状の根太とに設置される構台用床パネルにおいて、
平面視長方形状の足場板と、前記根太と同じ高さ寸法を有し該足場板の長手方向と直交する方向に延在する状態で該足場板の裏面に固定された複数の水平補強材とを有し、
前記足場板は、前記大引に沿った姿勢で前記根太に載置され、
前記水平補強材は、前記根太に沿った姿勢で前記大引に載置されるものであることを特徴とする構台用床パネル。
【請求項２】
前記水平補強材は、前記根太の側面に接触した状態で設置されるものであることを特徴とする請求項１記載の構台用床パネル。
【請求項３】
前記複数の水平補強材は、前記根太が延在する方向と直交する方向において該根太を挟み込むものを含むことを特徴とする請求項１又は２記載の構台用床パネル。
【請求項４】
前記水平補強材は、下端側部分に、下方に向かうに従い延在方向と直交する方向の幅が小さくなるように傾斜した傾斜面を有するものであることを特徴とする請求項１〜３のうちいずれか１項に記載の構台用床パネル。
【請求項５】
前記足場板と前記水平補強材のうちの少なくとも一方は、発泡樹脂で構成されたものであることを特徴とする請求項１〜４のうちいずれか１項に記載の構台用床パネル。
【発明の詳細な説明】
【技術分野】
【０００１】
本発明は、土木工事の現場等で、車輌や重機の通行等に用いられる構台の構台用床パネルに関する。
【背景技術】
【０００２】
土木工事の現場等では、車輌や重機等が通行する構台が設けられる。この構台は、仮設の架台であり、足場や各種資材の仮置き場所としても使用される。
【０００３】
構台は、左右及び前後方向に間隔を空けて立設した多数の支柱を有しており、その隣り合う支柱が水平材によって連結され、水平材どうしがブレース材（筋交い）によって連結されている。また、支柱の上端には、大引受が取り付けられており、隣り合う大引受間に、大引（梁）が、その両端部分を大引受に支持された状態で掛け渡されている。隣り合う大引間には、大引の長手方向に所定の間隔を空けて複数の根太が配置され、根太には床面を構成する足場板を備えた、例えば木製あるいはＦＲＰ（繊維強化プラスチック）製等の床パネルが設置されている（例えば、特許文献１等参照）。
【先行技術文献】
【特許文献】
【０００４】
【特許文献１】特開２０１９−０８５６９６号公報
【発明の概要】
【発明が解決しようとする課題】
【０００５】
しかしながら、軽量化を図るため、金属製の足場板に代えて、例えば木製等の足場板を採用した場合には、車輌や重機が通行する際等の構台に掛かる各種の荷重に耐えうるための強度や撓みを抑えるための所定の板厚が必要となり、更なる軽量化を図ることが難しいのが現状である。
【０００６】
本発明は上記事情に鑑み、足場板の板厚を抑え軽量化を図ることが可能な構台用床パネルを提供することを目的とする。
【課題を解決するための手段】
【０００７】
上記目的を解決する本発明の構台用床パネルは、大引と、該大引と直交する姿勢で該大引上に配置された角柱状の根太とに設置される構台用床パネルにおいて、
平面視長方形状の足場板と、前記根太と同じ高さ寸法を有し該足場板の長手方向と直交する方向に延在する状態で該足場板の裏面に固定された複数の水平補強材とを有し、
前記足場板は、前記大引に沿った姿勢で前記根太に載置され、
前記水平補強材は、前記根太に沿った姿勢で前記大引に載置されるものであることを特徴とする。
【０００８】
ここで、前記構台用床パネルは、その上に、補強用あるいは滑り止め用の敷鉄板やコンクリートパネル等が設置されるものであってもよい。また、前記足場板は、短手方向に複数枚接続されたものであってもよい。
【０００９】
本発明の構台用床パネルによれば、前記足場板が、前記根太に加えて、該根太と同じ高さ寸法を有する複数の水平補強材によっても前記大引上に支持される。すなわち、前記足場板は、前記根太間において、前記水平補強材によっても支持される構造となる。この構造により、許容荷重が確保しやすくなり、また撓み量も軽減することができる。これにより、前記足場板の板厚を抑えて軽量化を図ることが可能となる。
【００１０】
また、本発明の構台用床パネルにおいて、前記水平補強材は、前記根太の側面に接触した状態で設置されるものであることが好ましい。
【００１１】
こうすることで、前記水平補強材によって、前記構台用床パネルを位置決めすることができる。
【００１２】
さらに、本発明の構台用床パネルにおいて、前記複数の水平補強材は、前記根太が延在する方向と直交する方向において該根太を挟み込むものを含む態様も好ましい態様の一つである。
【００１３】
この態様を採用すれば、前記構台用床パネルの位置決め状態をさらに安定させることができる。特に、前記構台用床パネルが傾斜した姿勢で設置される場合であっても、該構台用床パネルがずれにくくなる。
【００１４】
また、本発明の構台用床パネルにおいて、前記水平補強材は、下端側部分に、下方に向かうに従い延在方向と直交する方向の幅が小さくなるように傾斜した傾斜面を有するものであってもよい。
【００１５】
前記構台用床パネルにおいて、前記足場板に固定される前記水平補強材の位置や姿勢、あるいは前記大引に配置される前記根太の位置や姿勢が設計上からずれていると、該構台用床パネルを設置する際に、該水平補強材と該根太が干渉して、該構台用床パネルの設置が困難になる虞がある。そこで、前記傾斜面を有する前記水平補強材を採用すれば、前記根太の位置ずれ等が生じていても、該構台用床パネルの設置を容易にすることができる。
【００１６】
さらに、本発明の構台用床パネルにおいて、前記足場板と前記水平補強材のうちの少なくとも一方は、発泡樹脂で構成されたものであることが好ましい。
【００１７】
ここで、前記発泡樹脂は、発泡ポリスチレン樹脂であってもよい。また、発泡ポリスチレン樹脂の発泡倍率は、１．５〜３．０倍が好ましく、より好ましくは２．２倍程度である。
【００１８】
前記足場板と前記水平補強材のうちの少なくとも一方を前記発泡樹脂で構成すれば、ＦＲＰで構成した態様と比べて、軽量化が図れ、かつコストを抑えることができる。また、木材で構成した場合と比べても、軽量化が図れ、かつ腐食しにくくなり耐食性を大幅に向上させることができる。さらに、通常の樹脂で構成した場合と比べても、撓みやすく、割れにくくなる。
【００１９】
なお、前記発泡樹脂は、強度の点ではＦＲＰに劣るが、本発明の構成を採用することにより、十分な許容荷重を確保することができる。なお、大型の重機が走行する場合等、さらに許容荷重を向上させる必要がある場合には、前記足場板上に敷鉄板やコンクリートパネル等を敷設すればよい。
【発明の効果】
【００２０】
本発明によれば、足場板の板厚を抑え軽量化を図ることが可能な構台用床パネルを提供することができる。
【図面の簡単な説明】
【００２１】
【図１】本発明の構台用床パネルを適用した構台を示す図である。
【図２】図１における、二点鎖線の円で囲んだＡ部を拡大して示す図である。
【図３】図１に示す構台用床パネルを抜きだして示す図である。
【図４】図２及び図３に示す水平補強材を抜きだして示す図である。
【図５】（ａ）は、第１変形例における、図２に対応する図であり、（ｂ）は、第２変形例における、図２に対応する図である。
【発明を実施するための形態】
【００２２】
以下、図面を参照して本発明の実施の形態を説明する。
【００２３】
図１は、本発明の構台用床パネル１０を適用した構台９を示す図である。以下、構台用床パネル１０を、床パネル１０と略称する場合がある。
【００２４】
図１に示すように、構台９は、傾斜した床面（斜面Ｓ）と水平な床面（水平面Ｌ）を有しており、図では、ダンプカーＤが斜面Ｓから水平面Ｌに向けて走行し、水平面Ｌに上りかけている様子を概念的に示している。
【００２５】
構台９は、左右方法及び前後方向（紙面と直交する方向）に間隔を空けて立設した複数の支柱９１と、隣り合う支柱９１間を連結する水平材９２と、所定の水平材９２どうしを連結するブレース材９３とを有している。また、支柱９１の上端には、大引受９４が取り付けられている。隣り合う大引受９４間には、左右方向に延在した大引９６が、その両端部分を大引受９４に支持された状態で掛け渡されている。また、大引９６上には、その延在する方向（長手方向）に所定の間隔（例えば３００ｍｍ〜３５０ｍｍ間隔）をあけて、根太９５が、大引９６の延在方向と直交する方向（前後方向）に延在した状態で配置されている。根太９５は、例えば６０ｍｍ角の角パイプからなる角柱状のものである。大引９６と根太９５には、床面を構成する床パネル１０が設置されている。なお、支柱９１が前後方向に間隔を空けて立設した様子の図は省略しているが、左右方向と同様にして、水平材９２、ブレース材９３及び大引受９４が設けられている。
【００２６】
図２は、図１における、二点鎖線の円で囲んだＡ部を拡大して示す図である。また、図３は、図１に示す床パネル１０を抜きだして示す図である。図３（ａ）は、床パネル１０の平面図であり、同図（ｂ）は、床パネル１０の正面図であり、同図（ｃ）は、床パネル１０の底面図であり、同図（ｄ）は、床パネル１０の右側面図である。なお、床パネル１０の背面図は正面図と同一であり、床パネル１０の左側面図は右側面図と同一であるため省略する。
【００２７】
図２及び図３に示すように、床パネル１０は、平面視長方形状の足場板３と、略角柱状の水平補強材５とを有している。なお、図２では、根太９５と区別するため、水平補強材５にハッチングを施して示している。本実施形態では、足場板３と水平補強材５を、発泡倍率が２．２倍の発泡樹脂で構成している。ここで発泡倍率は特に限定されるものではないが、強度の確保と軽量化の観点から、１．５倍〜３．０倍程度が好ましい。また、樹脂の種類も特に限定されるものではないが、ポリスチレン樹脂が好ましい。なお、足場板３と水平補強材５のうちの一方を発泡樹脂で構成し、他方をＦＲＰや木材等で構成する態様としてもよい。このように、足場板３と水平補強材５の少なくとも一方を発泡樹脂で構成する態様とすれば、ＦＲＰで構成する場合と比べて、軽量化が図れ、かつコストを抑えることができる。また、木材で構成する場合と比べても、軽量化が図れ、かつ腐食しにくくなり耐食性を大幅に向上させることができる。さらに、通常の樹脂で構成した場合と比べても、撓みやすく、割れにくくなる。
【００２８】
足場板３は、本実施形態では、長手方向（図２、図３（ａ）〜図３（ｃ）における左右方向）の長さが例えば１５００ｍｍ程度、短手方向（図３（ａ）及び図３（ｃ）における上下方向）の長さが例えば２２５ｍｍ程度、板厚が３０ｍｍ程度の２枚の足場板３を短手方向に接続している。
【００２９】
水平補強材５は、根太９５と同じ高さ寸法（例えば６０ｍｍ）であって、長さが例えば４５０ｍｍ程度に設定されている。本実施形態では、８つの水平補強材５が、足場板３の長手方向と直交する方向に延在する状態で、かつ足場板３の長手方向に所定の間隔をあけ、足場板３の裏面に、例えばビス止めされて固定されている。図２に示すように、床パネル１０は、足場板３が大引９６に沿った姿勢で根太９５に載置され、水平補強材５が根太９５に沿った姿勢で大引９６に載置される。以下、図２に示す、床パネル１０が大引９６と根太９５に設置された状態を設置状態と称することがある。設置状態の床パネル１０は、足場板３が複数の根太９５に支持され、さらに、根太９５と同じ高さ寸法の水平補強材５が大引９６に載置されることによって、足場板３は、複数の水平補強材５によっても支持される。すなわち、足場板３は、根太９５間において、水平補強材５によっても支持される構造となる。この構造により、足場板３は、許容荷重が確保しやすくなり、また撓み量も軽減することができる。これにより、足場板３の板厚を抑えて軽減化を図ることが可能となる。
【００３０】
また、本実施形態では、複数の水平補強材５の間隔は、根太９５の配置によって設定されている。水平補強材５の間隔について、図２に示すように、大引９６上に、所定の間隔（例えば３００ｍｍ程度の間隔）をあけて５つの根太９５が配置されている態様を例に挙げて説明する。大引９６の長手方向の両端に配置されている根太９５に対しては、その内側の側面にそれぞれ水平補強材５が接触する。また、大引９６の長手方向における内側の３つの大引９６に対しては、大引９６の長手方向（根太９５が延在する方向と直交する方向）において、一対の水平補強材５，５が両側から根太９５を挟み込む状態となる。
【００３１】
図４は、図２及び図３に示す水平補強材５を抜きだして示す図である。図４（ａ）は、水平補強材５の平面図であり、同図（ｂ）は、水平補強材５の正面図であり、同図（ｃ）は、水平補強材５の底面図であり、同図（ｄ）は、水平補強材５の右側面図である。なお、水平補強材５の背面図は正面図と同一であり、水平補強材５の左側面図は右側面図と同一であるため省略する。また、図４（ｂ）の水平補強材５の正面図を、一点鎖線の円で囲んで拡大して示している。
【００３２】
図４に示すように、水平補強材５は、上面５１から垂直方向に垂下する垂直面５２１と、この垂直面５２１の下端から傾斜し下面５３につながる傾斜面５２２とからなる側面５２を有している。傾斜面５２２は、水平補強材５の下端側部分に設けられたものであり、下方に向かうに従い延在方向と直交する方向の幅が小さくなるように傾斜している。このため、図２に示す設置状態では、水平補強材５の側面５２のうち、垂直面５２１が、根太９５の側面に接触する。これにより、床パネル１０を位置決めすることができ、さらに位置決め状態を安定させることもできる。このため、図１に示す、斜面Ｓを構成する床パネル１０であってもずれ等が生じにくくなる。なお、全ての水平補強材５が根太９５に接触する必要はないし、水平補強材５と根太９５との間に僅かな隙間が生じていてもよい。また、製造誤差や施工上の誤差等によって、水平補強材５と根太９５との間に僅かな隙間が生じる場合もあるし、図１に示す、斜面Ｓを構成する床パネル１０では、高い方に位置する水平補強材５のみが根太９５に接触する場合もある。いずれの場合であっても、床パネル１０の位置決めが安定する限度で水平補強材５が根太９５に接触すればよい。
【００３３】
また、水平補強材５が傾斜面５２２を有しているため、製造誤差や施工上の誤差等によって、水平補強材５の位置や姿勢、あるいは根太９５の位置や姿勢がずれている場合であっても、床パネル１０の設置を容易にすることができる。
【００３４】
なお、大引９６の長手方向における内側の大引９６の全てを水平補強材５によって挟み込む必要はかならずしもなく、例えば、図２においてクロスハッチングを施した水平補強材５’を省略する態様も可能である。
【００３５】
次に、図１〜図４に示す床パネル１０の変形例について説明する。以下に説明する変形例においては、図１〜図４に示す実施形態との相違点を中心に説明し、図１〜図４に示す実施形態における構成要素の名称と同じ名称の構成要素には、これまで用いた符号を付して説明し、重複する説明は省略することがある。
【００３６】
図５（ａ）は、第１変形例における、図２に対応する図であり、図５（ｂ）は、第２変形例における、図２に対応する図である。
【００３７】
図５（ａ）に示すように、第１変形例の床パネル１１は、図２に示す実施形態よりも長手方向の長さが短い大引９６（例えば１２００ｍｍ程度）と、４つの根太９５とに設置されている。水平補強材５は、大引９６の長手方向の両端に配置されている根太９５に対してそれぞれ接触する水平補強材５と、大引９６の長手方向における内側の２つの大引９６を挟み込む水平補強材５とを有している。
【００３８】
図５（ｂ）に示すように、第２変形例の床パネル１２は、図５（ａ）に示す第１変形例よりも長手方向の長さが短い大引９６（例えば９００ｍｍ程度）と、３つの根太９５とに設置されている。水平補強材５は、大引９６の長手方向の両端に配置されている根太９５に対してそれぞれ接触する水平補強材５と、大引９６の長手方向における中央の大引９６を挟み込む水平補強材５とを有している。なお、第２変形例の床パネル１２のように、水平補強材５どうしの間隔が大きい場合には、水平補強材５と水平補強材５との間に、一点鎖線で示すように、水平補強材５’’を設けてもよい。
【００３９】
本発明の床パネル１０，１１，１２によれば、足場板３の板厚を抑え軽量化を図ることが可能となる。
【００４０】
本発明は前述の実施形態に限定されるものではなく、特許請求の範囲に記載した範囲で種々の変更を行うことができる。例えば、床パネル１０の足場板３上に、補強用あるいは滑り止め用の敷鉄板やコンクリートパネル等を設置してもよい。特に、足場板３を発泡樹脂で構成し、キャタピラを備えた重機等が走行する場合には、保護あるいは滑り止め用の部材を設けることが好ましい。また、上記実施形態では、水平補強材５を根太９５に接触させる態様を中心に説明したが、足場板３の板厚を抑え軽量化を図る点では、必ずしも水平補強材５を根太９５に接触させる必要はない。さらに、上記実施形態では、２枚の足場板３を接続した態様を採用したが、１枚の足場板３で構成してもよいし、３枚以上の足場板３を用いてもよい。
【００４１】
なお、以上説明した実施形態や各変形例の記載それぞれにのみ含まれている構成要件であっても、その構成要件を、実施形態や他の変形例に適用してもよい。
【符号の説明】
【００４２】
１０，１１，１２  床パネル（構台用床パネル）
３  足場板
５  水平補強材
５２１  垂直面
５２２  傾斜面
９  構台
９５  根太
９６  大引
Ｄ  ダンプカー
【図１】
0006955657.tif 000002
【図２】
0006955657.tif 000003
【図３】
0006955657.tif 000004
【図４】
0006955657.tif 000005
【図５】
0006955657.tif 000006